(57)【要約】【課題】光トランシーバの動作状態を示す状態値を受けるコントローラを交換することなく、光送信装置及び光受信装置の台数を増減できる光トランシーバを提供すること。【解決手段】光信号を受信又は送信する光通信装置３ａ，３ｂと、光通信装置３ａ等の動作状態に対応する状態値を示す状態値信号を光通信装置３ａ，３ｂから受信するコントローラ７と、光通信装置３ａ，３ｂからコントローラ７への状態値信号の入力をオン・オフするアナログスイッチ素子９とを備える。コントローラ７は、アナログスイッチ素子９を介して光通信装置３ａ等からの状態値信号を受信し、アナログスイッチ素子９を制御する制御信号をアナログスイッチ素子９に出力する。アナログスイッチ素子９は、制御信号に応じて光通信装置３ａ等からコントローラ７への状態値信号の入力をオン・オフする。【選択図】図１
2012049811.tif 000002
【特許請求の範囲】
【請求項１】
光信号を受信又は送信する複数の光通信装置と、
前記光通信装置の動作状態に対応する状態値を示す状態値信号を前記複数の光通信装置から受信するコントローラと、
前記複数の光通信装置と前記コントローラとに接続されており、前記複数の光通信装置から前記コントローラへの前記状態値信号の入力をオン・オフするアナログスイッチ素子と、
を備え、
前記複数の光通信装置のそれぞれは前記状態値信号を出力し、
前記コントローラは、前記アナログスイッチ素子を介して前記光通信装置からの前記状態値信号を受信し、前記アナログスイッチ素子を制御する第１の制御信号を前記アナログスイッチ素子に出力し、
前記アナログスイッチ素子は、前記第１の制御信号に応じて前記光通信装置から前記コントローラへの前記状態値信号の入力をオン・オフする、ことを特徴とする光トランシーバ。
【請求項２】
前記コントローラが有する前記状態値信号の入力端子に接続され、前記状態値信号を電流信号から電圧信号に変換する可変抵抗部を更に備え、
前記コントローラは、前記可変抵抗部に前記可変抵抗部の抵抗値を増減するための前記第２の制御信号を出力し、
前記可変抵抗部は、前記第２の制御信号に応じて前記抵抗値を増減する、
ことを特徴とする請求項１に記載の光トランシーバ。
【請求項３】
前記コントローラは、入力された前記状態値信号に応じて前記抵抗値を算出し、この算出結果を示す前記第２の制御信号を前記可変抵抗部に出力する、ことを特徴とする請求項２に記載の光トランシーバ。
【請求項４】
前記コントローラは、前記複数の光通信装置から前記コントローラへの前記状態値信号の全ての入力をオンにするよう、前記第１の制御信号を用いて前記アナログスイッチ素子を制御する、ことを特徴とする請求項１又は請求項２に記載の光トランシーバ。
【発明の詳細な説明】
【技術分野】
【０００１】
本発明は、光トランシーバに関する。
【背景技術】
【０００２】
特許文献１には、メモリマップアーキテクチャとシリアル通信機構とを使用した光電子トランシーバのための集積回路（コントローラ）が記載されている。この集積回路は、メモリと、アナログ／デジタル変換回路と、制御回路と、インタフェースと、比較論理回路とを備える。メモリは、光電子トランシーバに関連する情報を記憶するための一又は二以上のメモリアレーを含む。アナログ／デジタル変換回路は、レーザ送信機及びフォトダイオード受信機から複数のアナログ信号を受信し、この受信アナログ信号をデジタル値に変換し、このデジタル値をメモリ内の所定の領域に記憶する。制御回路は、メモリに記憶された一又は二以上の値に従って、レーザ送信機の作動を制御する制御信号を発生するように構成されている。インタフェースは、メモリ内の領域に対して読取り及び書込みを行う。比較論理回路は、デジタル値を限界値と比較し、この限界値に基づいてフラッグ値を発生させ、このフラッグ値をメモリ内の所定の領域に記憶する。
【先行技術文献】
【特許文献】
【０００３】
【特許文献１】特開２００６−１９１６８１号公報
【発明の概要】
【発明が解決しようとする課題】
【０００４】
しかし、上記のような従来の技術では、送信機及び受信機の台数を増減する場合、送信機及び受信機からそれぞれの動作状態を示す状態値を受けるコントローラの端子の数を増減させなければならい。従って、送信機及び受信機の台数の増減は、コントローラの交換等を伴うこととなり、困難である。また、送信機及び受信機の台数が比較的多い場合、コントローラのパッケージのピンの数も多くなり、よって、コントローラのパッケージのサイズも大きくなる。このため、光トランシーバの小型化が困難となる。そこで、本発明の目的は、上記の事項を鑑みてなされたものであり、光トランシーバの動作状態を示す状態値を受けるコントローラを交換することなく、光送信装置及び光受信装置の台数を増減できる光トランシーバを提供することである。
【課題を解決するための手段】
【０００５】
本発明の一側面に係る光トランシーバは、光信号を受信又は送信する複数の光通信装置と、前記光通信装置の動作状態に対応する状態値を示す状態値信号を前記複数の光通信装置から受信するコントローラと、前記複数の光通信装置と前記コントローラとに接続されており、前記複数の光通信装置から前記コントローラへの前記状態値信号の入力をオン・オフするアナログスイッチ素子と、を備え、前記複数の光通信装置のそれぞれは前記状態値信号を出力し、前記コントローラは、前記アナログスイッチ素子を介して前記光通信装置からの前記状態値信号を受信し、前記アナログスイッチ素子を制御する第１の制御信号を前記アナログスイッチ素子に出力し、前記アナログスイッチ素子は、前記第１の制御信号に応じて前記光通信装置から前記コントローラへの前記状態値信号の入力をオン・オフする、ことを特徴とする。従って、アナログスイッチ素子を介して、複数の光通信装置がコントローラに接続されているので、コントローラの端子の数を増減させることなく、光通信装置の台数の増減が可能となる。
【０００６】
この光トランシーバでは、前記コントローラが有する前記状態値信号の入力端子に接続され、前記状態値信号を電流信号から電圧信号に変換する可変抵抗部を更に備え、前記コントローラは、前記可変抵抗部に前記可変抵抗部の抵抗値を増減するための前記第２の制御信号を出力し、前記可変抵抗部は、前記第２の制御信号に応じて前記抵抗値を増減することができる。従って、状態値信号の大きさに応じて、可変抵抗部の抵抗値が変更可能となっているので、状態値信号のレベルが比較的小さい場合であっても、コントローラに対する状態値信号の入力値を、ノイズに対し十分な精度が得られるように調整できる。
【０００７】
この光トランシーバでは、前記コントローラは、入力された前記状態値信号に応じて前記抵抗値を算出し、この算出結果を示す前記第２の制御信号を前記可変抵抗部に出力することができる。従って、コントローラに対する状態値信号の入力値の調整を、フィードバック制御できる。
【０００８】
この光トランシーバでは、前記コントローラは、前記複数の光通信装置から前記コントローラへの前記状態値信号の全ての入力をオンにするよう、前記第１の制御信号を用いて前記アナログスイッチ素子を制御することができる。このとき状態値信号の合計値を一回の読み取りによって得ることができる。従って、人の目の安全性を確保するための光出力制限が、比較的短い時間で容易に行える。
【発明の効果】
【０００９】
本発明によれば、光トランシーバの動作状態を示す状態値を受けるコントローラを交換することなく、光送信装置及び光受信装置の台数を増減できる。
【図面の簡単な説明】
【００１０】
【図１】実施形態に係る光トランシーバの構成を示す図である。
【発明を実施するための形態】
【００１１】
以下、図面を参照して、本発明に係る好適な実施形態について詳細に説明する。なお、図面の説明において、可能な場合には、同一要素には同一符号を付し、重複する説明を省略する。図１は、実施形態に係る光トランシーバ１の構成を示す図である。光トランシーバ１は、光信号を送受する装置である。光トランシーバ１は、光信号を受信する一又は複数の光通信装置、及び、光信号を送信する一又は複数の光通信装置を備える。光信号を受信する光通信装置として、光トランシーバ１は、一例として、光通信装置３ａ及び光通信装置３ｂを備える。光通信装置３ａと光通信装置３ｂとは、それぞれ異なる波長帯域の光信号を受信する。光信号を送信する光通信装置として、光トランシーバ１は、一例として、光通信装置５ａ及び光通信装置５ｂを備える。光通信装置５ａと光通信装置５ｂとは、それぞれ異なる波長帯域の光信号を送信する。
【００１２】
光通信装置３ａは、光受信サブアセンブリ３ａ１及び増幅器３ａ２を有する（光受信サブアセンブリ：Receiver Optical Sub-Assembly，ＲＯＳＡ）。光受信サブアセンブリ３ａ１は、受信光を検出するフォトダイオードを有する。光受信サブアセンブリ３ａ１は、端子３ａ３を有する。光受信サブアセンブリ３ａ１は、端子３ａ３を介して、光受信サブアセンブリ３ａ１の動作状態に対応する状態値を示す状態値信号を出力する。この状態値信号は、電流信号である。光受信サブアセンブリ３ａ１が端子３ａ３を介して出力する状態値信号は、受信光の光強度（単位時間当たりの光量）に対応する電流値を有する信号である。
【００１３】
増幅器３ａ２は、光受信サブアセンブリ３ａ１からの出力（受信信号）を増幅し、この増幅した受信信号を、端子１Ｔ１を介して外部装置に出力する。
【００１４】
光通信装置３ｂは、光受信サブアセンブリ３ｂ１及び増幅器３ｂ２を有する。光受信サブアセンブリ３ｂ１は、受信光を検出するフォトダイオードを有する。光受信サブアセンブリ３ｂ１は、端子３ｂ３を有する。光受信サブアセンブリ３ｂ１は、端子３ｂ３を介して、光受信サブアセンブリ３ｂ１の動作状態に対応する状態値を示す状態値信号を出力する。この状態値信号は、電流信号である。光受信サブアセンブリ３ｂ１が出力する状態値信号は、受信光の光強度（単位時間当たりの光量）に対応する電流値を有する状態値信号である。
【００１５】
増幅器３ｂ２は、光受信サブアセンブリ３ｂ１からの出力を増幅し、端子１Ｔ２を介して外部装置に出力する。
【００１６】
光通信装置５ａは、光送信サブアセンブリ５ａ１及び駆動装置５ａ２を有する（光送信サブアセンブリ：Transmitter Optical Sub-Assembly，ＴＯＳＡ）。光送信サブアセンブリ５ａ１は、送信光を出力するレーザダイオードを有する。駆動装置５ａ２は、端子１Ｔ３を介して外部装置から入力する送信信号に応じて、光送信サブアセンブリ５ａ１のレーザダイオードにバイアス電流を供給する。駆動装置５ａ２は、端子５ａ３及び端子５ａ４を有する。駆動装置５ａ２は、端子５ａ３及び端子５ａ４のそれぞれを介して、光送信サブアセンブリ５ａ１の動作状態に対応する状態値を示す状態値信号を出力する。この状態値信号は、電流信号である。
【００１７】
駆動装置５ａ２が端子５ａ３を介して出力する状態値信号は、送信光の光強度（単位時間当たりの光量）に対応する電流値を有する状態値信号である。送信光をモニタするためのフォトダイオードは光送信サブアセンブリ５ａ１に設けられており、このフォトダイオードから出力されるモニタ信号は、駆動装置５ａ２に送信される。駆動装置５ａ２は、光送信サブアセンブリ５ａ１から送信されるモニタ信号を用いて、光送信サブアセンブリ５ａ１のレーザダイオードからの送信光の光強度に対応する電流値を有する状態値信号を出力する。
【００１８】
駆動装置５ａ２が端子５ｂ４を介して出力する状態値信号は、光送信サブアセンブリ５ａ１のレーザダイオードに供給されるバイアス電流に対応する電流値を有する状態値信号である。
【００１９】
光通信装置５ｂは、光送信サブアセンブリ５ｂ１及び駆動装置５ｂ２を有する。光送信サブアセンブリ５ｂ１は、送信光を出力するレーザダイオードを有する。駆動装置５ｂ２は、端子１Ｔ４を介して外部装置から入力する送信信号に応じて、光送信サブアセンブリ５ｂ１のレーザダイオードにバイアス電流を供給する。駆動装置５ｂ２は、端子５ｂ３及び端子５ｂ４を有する。駆動装置５ｂ２は、端子５ｂ３及び端子５ｂ４のそれぞれを介して、光送信サブアセンブリ５ｂ１の動作状態に対応する状態値を示す状態値信号を出力する。この状態値信号は、電流信号である。
【００２０】
駆動装置５ｂ２が端子５ｂ３を介して出力する状態値信号は、送信光の光強度（単位時間当たりの光量）に対応する電流値を有する状態値信号である。送信光をモニタするためのフォトダイオードは光送信サブアセンブリ５ｂ１に設けられており、このフォトダイオードから出力されるモニタ信号は、駆動装置５ｂ２に送信される。駆動装置５ｂ２は、光送信サブアセンブリ５ｂ１から送信されるモニタ信号を用いて、光送信サブアセンブリ５ｂ１のレーザダイオードからの送信光の光強度に対応する電流値を有する状態値信号を出力する。
【００２１】
駆動装置５ｂ２が端子５ｂ４を介して出力する状態値信号は、光送信サブアセンブリ５ｂ１のレーザダイオードに供給されるバイアス電流に対応する電流値を有する状態値信号である。
【００２２】
光トランシーバ１は、コントローラ７を備える。コントローラ７は、アナログスイッチ素子９を介して光通信装置３ａ及び光通信装置３ｂのそれぞれから状態値信号を受信することができ、アナログスイッチ素子１１を介して光通信装置５ａ及び光通信装置５ｂのそれぞれから状態値信号を受信することができ、アナログスイッチ素子１３を介して光通信装置５ａ及び光通信装置５ｂのそれぞれから状態値信号を受信することができる。
【００２３】
コントローラ７は、端子１Ｔ５に接続されており、受信した状態値信号等を、端子１Ｔ５を介して外部装置に送信することができる。コントローラ７は、アナログスイッチ素子９、アナログスイッチ素子１１、アナログスイッチ素子１３、可変抵抗部１５、可変抵抗部１７、及び、可変抵抗部１９に接続されており、アナログスイッチ素子９、アナログスイッチ素子１１、アナログスイッチ素子１３、可変抵抗部１５、可変抵抗部１７、及び、可変抵抗部１９に対しそれぞれの動作を制御する制御信号を出力する。
【００２４】
コントローラ７は、端子７ａ〜７ｆを有する。端子７ａ、端子７ｂ、及び、端子７ｃは、状態値信号の入力端子である。端子７ａ、端子７ｂ、及び、端子７ｃは、コントローラ７内において、それぞれ、Ａ／Ｄコンバータに接続されている。コントローラ７は、端子７ａ、端子７ｂ、及び、端子７ｃごとに、Ａ／Ｄコンバータを有する。端子７ｄは、アナログスイッチ素子９及び可変抵抗部１５を制御するための制御信号を出力する出力端子であり、端子７ｅは、アナログスイッチ素子１１及び可変抵抗部１７を制御するための制御信号を出力する出力端子であり、端子７ｆは、アナログスイッチ素子１３及び可変抵抗部１９を制御するための制御信号を出力する出力端子である。
【００２５】
コントローラ７は、光通信装置３ａからコントローラ７への状態値信号の入力と、光通信装置３ｂからコントローラ７への状態値信号の入力とを全てオンにするよう、制御信号を用いてアナログスイッチ素子９を制御することができる。コントローラ７は、光通信装置５ａからコントローラ７への状態値信号（光強度に対応する電流値を有する状態値信号）の入力と、光通信装置５ｂからコントローラ７への状態値信号（光強度に対応する電流値を有する状態値信号）の入力とを全てオンにするよう、制御信号を用いてアナログスイッチ素子１１を制御することができる。光トランシーバの光出力レベル（送信光の光強度）は人の目の安全性確保のために上限値が規定されている。異なる波長帯域を持つ、複数の光送信機を、波長多重して出力したとき、光出力レベルの合計値は当然ながら一つの波長帯域の光出力よりも大きい。人の目の安全上、波長多重の場合には、各波長帯域の光出力レベルの合計値が、上限値を超えないように制御しなければならない。一般的には、波長帯域ごとの電流値（光出力レベルに対応する電流値）を計測し、コントローラ内で合計した値が上限値を超えているかを判定し、超えていると判定した場合には光出力制限をかける。上限値を超えた場合、人の目の安全を確保するためには、早急に光出力制限をかける必要がある。本実施形態に係る光トランシーバ１によれば、光通信装置５ａからコントローラ７への状態値信号の入力と、光通信装置５ｂからコントローラ７への状態値信号の入力とを全てオンにすることで、光通信装置５ａ及び光通信装置５ｂの全ての光出力レベルを加算することができる。従って、従来の上記したような処理、すなわち、波長帯域ごとに光出力レベルに対応する電流値を計測し、計測した電流値をコントローラが合計し、そして、コントローラが光出力制限をかけるか否かを判断する、処理に比べて、短時間で光出力制限をかけることができる。
【００２６】
光トランシーバ１は、アナログスイッチ素子９、アナログスイッチ素子１１、及び、アナログスイッチ素子１３を備える。アナログスイッチ素子９は、端子９ａ、端子９ｂ、端子９ｃ、及び、端子９ｄを有する。端子９ａは、コントローラ７の端子７ａに接続され、端子９ｂは、光受信サブアセンブリ３ａ１の端子３ａ３に接続され、端子９ｃは、光受信サブアセンブリ３ｂ１の端子３ｂ３に接続され、端子９ｄは、コントローラ７の端子７ｄに接続されている。アナログスイッチ素子９は、コントローラ７から出力される制御信号に応じて、光通信装置３ａ及び光通信装置３ｂからコントローラ７への状態値信号の入力をオン・オフする。コントローラ７から出力される制御信号は、端子７ｄ及び端子９ｄを介してアナログスイッチ素子９に入力される。光通信装置３ａ及び光通信装置３ｂからの状態値信号は、端子９ａ及び端子７ａを介して、コントローラ７に入力されることができる。
【００２７】
アナログスイッチ素子１１は、端子１１ａ、端子１１ｂ、端子１１ｃ、及び、端子１１ｄを有する。端子１１ａは、コントローラ７の端子７ｂに接続され、端子１１ｂは、駆動装置５ａ２の端子５ａ３に接続され、端子１１ｃは、駆動装置５ｂ２の端子５ｂ３に接続され、端子１１ｄは、コントローラ７の端子７ｅに接続されている。アナログスイッチ素子１１は、コントローラ７から出力される制御信号に応じて、光通信装置５ａ及び光通信装置５ｂからコントローラ７への状態値信号の入力をオン・オフする。コントローラ７から出力される制御信号は、端子７ｅ及び端子１１ｄを介してアナログスイッチ素子１１に入力される。光通信装置５ａ及び光通信装置５ｂからの状態値信号は、端子１１ａ及び端子７ｂを介して、コントローラ７に入力されることができる。
【００２８】
アナログスイッチ素子１３は、端子１３ａ、端子１３ｂ、端子１３ｃ、及び、端子１１ｄを有する。端子１３ａは、コントローラ７の端子７ｃに接続され、端子１３ｂは、駆動装置５ａ２の端子５ａ４に接続され、端子１３ｃは、駆動装置５ｂ２の端子５ｂ４に接続され、端子１３ｄは、コントローラ７の端子７ｆに接続されている。アナログスイッチ素子１３は、コントローラ７から出力される制御信号に応じて、光通信装置５ａ及び光通信装置５ｂからコントローラ７への状態値信号の入力をオン・オフする。コントローラ７から出力される制御信号は、端子７ｆ及び端子１３ｄを介してアナログスイッチ素子１３に入力される。光通信装置５ａ及び光通信装置５ｂからの状態値信号は、端子１３ａ及び端子７ｃを介して、コントローラ７に入力されることができる。
【００２９】
光トランシーバ１は、可変抵抗部１５、可変抵抗部１７、及び、可変抵抗部１９を備える。可変抵抗部１５は、コントローラ７の端子７ａに接続されている端子と、接地されている端子とを有しており、光通信装置３ａ及び光通信装置３ｂからの状態値信号を、電流信号から電圧信号に変換する。コントローラ７は、可変抵抗部１５に対し、可変抵抗部１５の抵抗値を増減する（変える）ための制御信号を出力する。この制御信号は、端子７ｄ及び端子１５ａを介して可変抵抗部１５に入力される。可変抵抗部１５は、端子１５ａを介して入力される制御信号に応じて、可変抵抗部１５の抵抗値を増減する。コントローラ７は、端子７ａを介して入力される状態値信号に応じて、可変抵抗部１５の抵抗値を算出し、この算出結果を示す制御信号を、端子７ｄを介して可変抵抗部１５に出力する。なお、アナログスイッチ素子９の端子９ｄと可変抵抗部１５の端子１５ａとは、コントローラ７の同一の端子７ｄに接続されるとしたが、これに限らず、コントローラ７の別々の端子に接続される構成であってもよい。
【００３０】
可変抵抗部１７は、コントローラ７の端子７ｂに接続されている端子と、接地されている端子とを有しており、光通信装置５ａ及び光通信装置５ｂからの状態値信号を、電流信号から電圧信号に変換する。コントローラ７は、可変抵抗部１７に対し、可変抵抗部１７の抵抗値を増減する（変える）ための制御信号を出力する。この制御信号は、端子７ｅ及び端子１７ａを介して可変抵抗部１７に入力される。可変抵抗部１７は、端子１７ａを介して入力される制御信号に応じて、可変抵抗部１７の抵抗値を増減する。コントローラ７は、端子７ｂを介して入力される状態値信号に応じて、可変抵抗部１７の抵抗値を算出し、この算出結果を示す制御信号を、端子７ｅを介して可変抵抗部１７に出力する。なお、アナログスイッチ素子１１の端子１１ｄと可変抵抗部１７の端子１７ａとは、コントローラ７の同一の端子７ｅに接続されるとしたが、これに限らず、コントローラ７の別々の端子に接続される構成であってもよい。
【００３１】
可変抵抗部１９は、コントローラ７の端子７ｃに接続されている端子と、接地されている端子とを有しており、光通信装置５ａ及び光通信装置５ｂからの状態値信号を、電流信号から電圧信号に変換する。コントローラ７は、可変抵抗部１９に対し、可変抵抗部１９の抵抗値を増減する（変える）ための制御信号を出力する。この制御信号は、端子７ｆ及び端子１９ａを介して可変抵抗部１９に入力される。可変抵抗部１９は、端子１９ａを介して入力される制御信号に応じて、可変抵抗部１９の抵抗値を増減する。コントローラ７は、端子７ｃを介して入力される状態値信号に応じて、可変抵抗部１９の抵抗値を算出し、この算出結果を示す制御信号を、端子７ｆを介して可変抵抗部１９に出力する。なお、アナログスイッチ素子１３の端子１３ｄと可変抵抗部１９の端子１９ａとは、コントローラ７の同一の端子７ｆに接続されるとしたが、これに限らず、コントローラ７の別々の端子に接続される構成であってもよい。
【００３２】
可変抵抗部１５の使用方法の具体例を説明する。可変抵抗部１７及び可変抵抗部１９の使用方法も、可変抵抗部１５の使用方法と同様である。可変抵抗部１５の抵抗値として、初期値（Ｒｉ）が予め設定されている。この初期値は、設計上想定される最大電流（Ｉｉ）が可変抵抗部１５を流れた場合に、コントローラ７の端子７ａに入力される電圧信号（状態値信号）の電圧値が、設計上許容される最大電圧値（Ｖｉ）を超えないような抵抗値である。すなわち、Ｒｉ≦Ｖｉ／Ｉｉが成立する。まず、コントローラ７は、可変抵抗部１５の抵抗値を初期値（Ｒｉ）に設定して、コントローラ７の端子７ａに入力される電圧信号の電圧値を測定する。コントローラ７は、測定の結果、端子７ａに入力される電圧値が、十分な精度を得ることが可能な範囲内（例えば、最大電圧値（Ｖｉ）の１／２以上等の予め設定されている任意の範囲内）にある場合、可変抵抗部１５の抵抗値を増減（変更）しない。コントローラ７は、測定の結果、端子７ａに入力される電圧信号の電圧値が、十分な精度を得ることが可能な範囲内にない場合、可変抵抗部１５の抵抗値を増加する。例えば、端子７ａに入力される電圧信号の電圧値の範囲（十分な精度を得ることが可能な範囲）を最大電圧値（Ｖｉ）の１／２以上の範囲内とした場合に、端子７ａに入力される電圧信号の電圧値の測定値が最大電圧値（Ｖｉ）の１／１０程度であれば、可変抵抗部１５の抵抗値を現在設定されている抵抗値の５倍〜１０倍の間に設定すれば、端子７ａに入力される電圧信号の電圧値を最大電圧値（Ｖｉ）の１／２以上の範囲内に収めることが可能となる。
【００３３】
一般に、光トランシーバの受信機の光入力レベル（受信光の光強度）の最大値と最小値（所定期間内に実測される最大値及び最小値）の比は、“１０００”を超える場合がある。このため、可変抵抗部１５等に対応する可変抵抗部の抵抗値が光入力レベルの最大値（設計上想定される最大値）に合わせて設定され、固定されると、光入力レベルが比較的小さい場合には、この光入力レベルに応じて端子７ａに入力される電圧信号の電圧値も比較的小さい。一方、端子７ａに入力されるノイズの大きさは光入力レベルの大きさに影響されない場合があるので、このノイズの影響は、光入力レベルが比較的小さい場合において、特に顕著となる。これに対し、本実施形態に係る光トランシーバ１の場合、抵抗値の増減が可能な可変抵抗部１５を用いるので、光入力レベルの大きさに応じて、可変抵抗部１５の抵抗値を好適な値に設定できる。よって、光入力レベルが比較的小さい場合であっても、可変抵抗部１５の抵抗値を調整することによって、ノイズの影響を、十分に且つ容易に、抑制できる。コントローラ７に対する状態値信号の入力値を、ノイズに対し十分な精度が得られるように調整できる。また、コントローラ７は、入力された状態値信号に応じて可変抵抗部１５の抵抗値を算出し、この算出結果を示す制御信号を可変抵抗部１５に出力することができるので、コントローラ７に対する状態値信号の入力値の調整を、フィードバック制御できる。
【００３４】
以上説明した構成を有する光トランシーバ１は、光通信装置３ａ及び光通信装置３ｂがアナログスイッチ素子９を介してコントローラ７に接続され、光通信装置５ａ及び光通信装置５ｂが、アナログスイッチ素子１１、アナログスイッチ素子１３を介してコントローラ７に接続されている。このように、アナログスイッチ素子９、アナログスイッチ素子１１及びアナログスイッチ素子１３を介して、光通信装置３ａ等の複数の光通信装置がコントローラ７に接続されているので、コントローラ７の端子の数を増減させることなく、光通信装置の台数の増減が可能となる。
【００３５】
以上、好適な実施の形態において本発明の原理を図示し説明してきたが、本発明は、そのような原理から逸脱することなく配置および詳細において変更され得ることは、当業者によって認識される。本発明は、本実施の形態に開示された特定の構成に限定されるものではない。したがって、特許請求の範囲およびその精神の範囲から来る全ての修正および変更に権利を請求する。
【符号の説明】
【００３６】
１…光トランシーバ、１１，１３，９…アナログスイッチ素子、１１ａ，１１ｂ，１１ｃ，１１ｄ，１３ａ，１３ｂ，１３ｃ，１３ｄ，１５ａ，１７ａ，１９ａ，１Ｔ１，１Ｔ２，１Ｔ３，１Ｔ４，１Ｔ５，３ａ３，３ｂ３，５ａ３，５ａ４，５ｂ３，５ｂ４，７ａ，７ｂ，７ｃ，７ｄ，７ｅ，７ｆ，９ａ，９ｂ，９ｃ，９ｄ…端子、１５，１７，１９…可変抵抗部、３ａ，３ｂ，５ａ，５ｂ…光通信装置、３ａ１，３ｂ１…光受信サブアセンブリ、３ａ２，３ｂ２…増幅器、５ａ１，５ｂ１…光送信サブアセンブリ、５ａ２，５ｂ２…駆動装置、７…コントローラ
【図１】
2012049811.tif 000003